(57)【要約】      （修正有）【課題】標識として十分な機能を果たし、商品アピールが可能な大きさを有するとともに、しわが生じにくいかつら用の織りネームを提供する。【解決手段】表面がメッシュ状の基布１２で構成されたかつらベース１０の裏面側に取り付けられる織りネームであって、かつらベースの外縁部１４の形状に沿った第１の線部４と、第１の線部の端部４ａ、４ｂの間を繋ぐ第２の曲線部６と、により画定される面部２から構成され、第１の線部に沿った一部または全ての領域において、面部２がかつらベースの外縁部１４に縫着されている。【選択図】図１
0003206599.tif 000002
【実用新案登録請求の範囲】
【請求項１】
かつらベースの裏面側に取り付けられる織りネームであって、
前記かつらベースの外縁部の形状に沿った第１の線部と、
前記第１の線部の端部の間を繋ぐ第２の曲線部と、
により画定される面部から構成され、
前記第１の線部に沿った一部または全ての領域において、前記面部が前記かつらベースの外縁部に縫着されることを特徴とする織りネーム。
【請求項２】
前記第２の曲線が、前記かつらベースの外縁部の形状に沿った凸形状を有することを特徴とする請求項１に記載の織りネーム。
【請求項３】
前記第２の曲線部に沿った一部または全ての領域において、前記面部が前記かつらベースに縫着されることを特徴とする請求項１または２に記載の織りネーム。
【請求項４】
前記面部の前記かつらベースに接する側の面に艶消し加工が施されていることを特徴とする請求項１から３の何れか１項に記載の織りネーム。
【請求項５】
前記面部に通気用の開口が設けられていることを特徴とする請求項１から４の何れか１項に記載の織りネーム。
【考案の詳細な説明】
【技術分野】
【０００１】
本考案は、文字や紋様を現した標識用の織物である織りネームに関し、特にかつら用の織りネームに関する。
【背景技術】
【０００２】
人の頭部に装着するかつらは、通常、かつらベースと称するベース部分に擬毛を植設することによって形成される。このようなかつらベースには、商品名、商標、商品に関する情報等を記載した織りネームを取り付けることが多い。この場合、かつらを装着していることが目立たないようにするため、織りネームをかつらベースの裏面側に取り付けることが提案されている（例えば、特許文献１の段落００１８、図１参照）。
【先行技術文献】
【特許文献】
【０００３】
【特許文献１】特開２０１１−１２７２２８
【考案の概要】
【考案が解決しようとする課題】
【０００４】
特許文献１では、装着時に目立たないようにするため、かつらベースの後ろ側端部に、比較的小さなサイズの矩形の織りネーム（タグ１１）が取り付けられている。しかし、織りネームの大きさが小さいので、商品名等を示す文字は小さくなり、使用者が視認するのは容易ではなく、商品ブランド等を十分にアピールすることは困難である。更に、織りネームの形が矩形なので、かつらを装着したときに、しわ等が生じ易くなる。
【０００５】
本考案にかかる目的は、上記の課題を解決するものであり、標識として十分な機能を果たすことが可能な大きさを有するとともに、しわが生じにくいかつら用の織りネームを提供することを目的とする。  
【課題を解決するための手段】
【０００６】
上記の課題を解決するため、本考案の１つの実施態様に係る織りネームは、
かつらベースの裏面側に取り付けられる織りネームであって、
前記かつらベースの外縁部の形状に沿った第１の線部と、
前記第１の線部の端部の間を繋ぐ第２の曲線部と、
により画定される面部から構成され、
前記第１の線部に沿った一部または全ての領域において、前記面部が前記かつらベースの外縁部に縫着される。
【考案の効果】
【０００７】
以上のように、本考案の実施態様においては、標識として十分な機能を果たすことが可能な大きさを有するとともに、しわが生じにくいかつら用の織りネームを提供することができる。
【図面の簡単な説明】
【０００８】
【図１】本考案の第1の実施形態に係るかつら用の織りネームが取り付けられたかつらベースの裏面側を模式的に示す平面図である。
【図２】本考案の第２の実施形態に係るかつら用の織りネームが取り付けられたかつらベースの裏面側を模式的に示す平面図である。
【図３】本考案の第３の実施形態に係るかつら用の織りネームが取り付けられたかつらベースの裏面側を模式的に示す平面図である。
【図４】本考案の第４の実施形態に係るかつら用の織りネームが取り付けられたかつらベースの裏面側を模式的に示す平面図である。
【図５】湾曲したかつらベーを模式的に示す図であり、（ａ）は、裏面が上側を向いたかつらベースの側面図であり、（ｂ）は、（ａ）における矢印Ａ−Ａから見た（かつらベースの裏面側から見た）平面図である。
【考案を実施するための形態】
【０００９】
はじめに、本考案の全般的な説明を行う。
本考案の実施態様１に係る織りネームは、  かつらベースの裏面側に取り付けられる織りネームであって、
前記かつらベースの外縁部の形状に沿った第１の線部と、
前記第１の線部の端部の間を繋ぐ第２の曲線部と、
により画定される面部から構成され、
前記第１の線部に沿った一部または全ての領域において、前記面部が前記かつらベースの外縁部に縫着される。
【００１０】
ここで、かつらベースの外縁部の形状に沿った第１の線部は、図１、２に示すような一続きの曲線の場合もあれば、図３、４に示すような複数の略直線または曲線から構成される場合もある。第１の線部が複数の線から構成される場合には、第１の線部の端部の間を繋ぐ第２の曲線部も複数の曲線から構成されることになる。
【００１１】
本実施態様によれば、面部がかつらベースの外縁部に沿うので、比較的大きなサイズの織りネームを取り付けることができる。
織りネームの大きさが大きい場合であっても、面部が、かつらベースの外縁部に沿った第１の線部と、第１の線部の端部の間を繋ぐ第２の曲線部とにより画定されていて、湾曲したかつらベースの裏面にフィットし易いので、しわが生じにくくなる。
更に、かつらベースの外縁部は、一般的により高い強度を有しているが、面部がこのかつらベースの外縁部に縫着されるので、外縁部の剛性により、面部において、よりしわが生じにくくなる。
【００１２】
以上のように、本実施態様によれば、標識として十分な機能を果たすことが可能な大きさを有するとともに、しわが生じにくいかつら用の織りネームを提供することができる。
【００１３】
本考案の実施態様２に係る織りネームでは、上記の実施態様１において、
前記第２の曲線が、前記かつらベースの外縁部の形状に沿った凸形状を有する。
【００１４】
本実施態様によれば、第２の曲線が、かつらベースの外縁部の形状に沿った凸形状を有するので、湾曲したかつらベース１０の裏面により適切にフィットすることができ、よりしわが生じにくくなる。
【００１５】
本考案の実施態様３に係る織りネームでは、上記の実施態様１または２において、
前記第２の曲線部に沿った一部または全ての領域において、前記面部が前記かつらベースに縫着される。
【００１６】
本実施態様によれば、第２の曲線部に沿った一部または全ての領域において、面部がかつらベースに縫着されるので、織りネームがかつらベースから浮き上がるのを防止でき、中折れやしわが生じるのを抑制することができる。
【００１７】
本考案の実施態様４に係る織りネームでは、上記の実施態様１から３の何れかにおいて、
前記面部の前記かつらベースに接する側の面に艶消し加工が施されている。
【００１８】
本実施態様によれば、面部のかつらベースに接する側の面に艶消し加工が施されているので、かつらの装着時に、織りネームが露見するのを効果的に防ぐことができる。
【００１９】
本考案の実施態様５に係る織りネームでは、上記の実施態様１から４の何れかにおいて、
前記面部に通気用の開口が設けられている。
【００２０】
本実施態様によれば、織りネームの面部に通気用の開口が設けられているので、大きなサイズの織りネームを取り付けたとしても、かつら装着時に使用者の頭部が蒸れるのを抑制することができる。
【００２１】
次に、本考案の実施態様の織りネームについて、以下に図面を用いながら詳細に説明する。
(本考案の実施形態に係る織りネーム）
図１〜図４を参照しながら、具体的な本考案の各実施形態に係る織りネームの説明を行う。図１は、本考案の第１の実施形態に係るかつら用の織りネーム２が取り付けられたかつらベース１０の裏面側を模式的に示す平面図であり、図２は、本考案の第２の実施形態に係るかつら用の織りネーム２が取り付けられたかつらベース１０の裏面側を模式的に示す平面図であり、図３は、本考案の第３の実施形態に係るかつら用の織りネーム２が取り付けられたかつらベース１０の裏面側を模式的に示す平面図であり、図４は、本考案の第４の実施形態に係るかつら用の織りネーム２が取り付けられたかつらベース１０の裏面側を模式的に示す平面図である。
【００２２】
はじめに、図１〜図４に示す各実施形態で共通する部分の説明を行う。
本実施形態に係るかつらベース１０は、面部を構成するメッシュ状の基布１２と、その周囲を囲む外縁部１４とから構成される。人毛、人工毛等からなる擬毛をメッシュ状の基布１２に植設して、かつらを形成することができる。外縁部１４は、基布１２より強度の高い部材（例えば、布、織物、紐状部材）で構成され、縫着により、基布１２とその周囲を囲む外縁部１４が接合されている。強度の高い外縁部１４で周囲をサポートすることにより、強度的に優れ、中折れや変形が生じにくいかつらベース１０を提供できる。
【００２３】
本考案の実施形態に係る織りネームは、かつらベース１０の裏面側に取り付けられる織りネームであって、かつらベース１０の外縁部１４の形状に沿った第１の線部４（４’）と、第１の線部４（４’）の端部４ａ、４ｂ（４ａ’、４ｂ’）の間を繋ぐ第２の曲線部６（６’）とにより画定される面部２から構成される。
【００２４】
更に詳細に述べれば、かつらベース１０の外縁部１４の形状に沿った第１の線部は、図１及び図２に示す本考案の第１及び第２の実施形態では、ひと続きの１本の曲線で構成され、図３及び図４に示す本考案の第３及び第４の実施形態では、２本の略直線または曲線で構成されている。
【００２５】
第１及び第２の実施形態では、面部２が、１本の第１の線部４と、第１の線部４の端部４ａ、４ｂの間を繋ぐ１本の第２の曲線部６とで囲まれて形成されている。また、第３及び第４の実施形態では、面部２が、２本の第１の線部４及び４’と、第１の線部４の端部４ａ及び第１の線部４’の端部４ａ’の間を繋ぐ第２の曲線部６と、第１の線部４の端部４ｂ及び第１の線部４’の端部４ｂ’の間を繋ぐ第２の曲線部６’とで囲まれて形成されている。
【００２６】
面部２として、商品名、ブランド名等の所望の標識が織り込まれた任意の織物を用いることができる。例えば、平織を用いる場合には、丈夫で摩擦に強い織りネームを得ることができ、綾織を用いる場合には、しなやかでしわがよりにくい織りネームを得ることができ、朱子織を用いる場合には、より柔らかい風合いの織りネームを得ることができる。また、その他の任意の織り方を用いて面部２を形成することができる。
【００２７】
ただし、面部２として織物に限定されるものではなく、織りネームとして用いられる任意のシート状部材を用いることができる。特に、面部２として、かつらベース１０の変形に追従して変形するようにするため、しわの生じにくい柔らかい材料を用いることが望ましい。
【００２８】
図１〜図４に示すように、第１の線部４（４’）に沿った一部または全ての領域において、面部２がかつらベース１０の外縁部１４に縫着される。
更に詳細に述べれば、図１に示す第１の実施形態及び図３に示す第３の実施形態では、第１の線部４（４’）に沿った全ての領域において、面部２がかつらベース１０の外縁部１４に縫着されている。一方、図２に示す第２の実施形態及び図４に示す第４の実施形態では、第１の線部４（４’）に沿った一部の領域において、面部２がかつらベース１０の外縁部１４に縫着されている。
【００２９】
以上のように、図１〜図４に示す実施形態によれば、面部２がかつらベース１０の外縁部１４に沿うので、比較的大きなサイズの織りネーム（面部２）を取り付けることができる。
また、織りネーム（面部２）の大きさが大きい場合であっても、面部２が、かつらベース１０の外縁部１４に沿った第１の線部４（４’）と、第１の線部４（４’）の端部の間を繋ぐ第２の曲線部６（６’）とにより画定されていて、湾曲したかつらベース１０の裏面にフィットし易いので、しわが生じにくくなる。
【００３０】
更に、かつらベースの外縁部１４は、面部２より高い強度を有しているが、面部２がこのかつらベース１０の外縁部１４に縫着されるので、外縁部１４の剛性によって、面部２において、よりしわが生じにくくなる。
【００３１】
以上のように、本実施形態によれば、標識として十分な機能を果たすことが可能な大きさを有するとともに、しわが生じにくいかつら用の織りネームを提供することができる。
【００３２】
なお、第１及び第３の実施形態のように、第１の線部４（４’）に沿った全ての領域において、面部２がかつらベース１０の外縁部１４に縫着されている場合の方が、第２及び第４の実施形態のように、第１の線部４（４’）に沿った一部の領域において、面部２がかつらベース１０の外縁部１４に縫着されている場合に比べて、外縁部１４の剛性をより効果的に利用できる。しかし、かつらベース１０の湾曲の度合いによっては、後者の方が面部２に大きな応力が加わらない場合もあり、用途に応じて、適切な縫着領域を定めることが好ましい。
【００３３】
図１〜図４に示す本考案の実施形態では、第２の曲線部６が、かつらベース１０の外縁部１４の形状に沿った凸形状を有する。
【００３４】
ここで、図５は、湾曲したかつらベース１０を模式的に示す図であり、（ａ）は、裏面が上側を向いたかつらベース１０の側面図であり、（ｂ）は、（ａ）における矢印Ａ−Ａから見た（かつらベースの裏面側から見た）平面図である。
【００３５】
図５の矢印Ｂ、Ｃは、湾曲したかつらベース１０上に模式的に示された等高線を示す。図５（ｂ）から明らかなように、等高線Ｂ、Ｃは、それぞれかつらベースの外縁部１４の曲線に沿った凸形状を有している。もし、外縁部１４が円弧状であれ、等高線Ｂ、Ｃは、それぞれ外縁部１４の円弧とほぼ同心の円弧形状を有する。外縁部１４の形状に沿った凸形状を有する本実施形態に係る第２の曲線６（６’）は、この等高線に準じた形状を有している。
【００３６】
本実施形態によれば、第２の曲線部６（６’）が、かつらベース１０の外縁部１４の形状に沿った凸形状を有するので、湾曲したかつらベース１０の裏面により適切にフィットすることができ、よりしわが生じにくくなる。
【００３７】
上記のように、本実施形態では、第２の曲線部６（６’）に沿った一部または全ての領域において、面部２がかつらベース１０に縫着される。よって、織りネーム（面部２）がかつらベース１０から浮き上がるのを防止でき、中折れやしわが生じるのを抑制することができる。
【００３８】
なお、第１及び第３の実施形態のように、第２の曲線部６（６’）に沿った全ての領域において、面部２がかつらベース１０の基布１２に縫着されている場合の方が、第２及び第４の実施形態のように、第２の曲線部６（６’）に沿った一部の領域において、面部２がかつらベース１０の基布１２に縫着されている場合に比べて、より強くかつらベースに取り付けることができる。しかし、装着時の基布１２の伸びや変形によっては、後者の方が面部２に大きな応力が加わらない場合もあり、用途に応じて、適切な縫着領域を定めることが好ましい。
【００３９】
更に、本実施形態においては、面部２のかつらベース１０に接する側の面に艶消し加工が施されている。これにより、かつらの装着時に、織りネームが露見するのを効果的に防ぐことができる。
【００４０】
面部２のかつらベース１０に接する側の面の色は、植設する擬毛の色に合わせるのが好ましい。また仮に、織りネームを取り付ける位置が、植設する擬毛の量が少ない領域の場合には、地肌に近似した色に着色することも考えられる。
【００４１】
本実施形態において、面部２に通気用の開口が設けることもできる。その場合には、この通気用の開口により、大きなサイズの織りネームを取り付けたとしても、かつら装着時に使用者の頭部が蒸れるのを抑制することができる。
【００４２】
この通気口は、織物からなる面部２の所望の位置に所望の数だけ設けることができる。更に、開口によって、所定の標識を表すこともできる。また、面部２をメッシュ状の部材で構成することにより、開口を設けることもできる。
【００４３】
本考案の実施の形態を説明したが、開示内容は構成の細部において変化してもよく、実施の形態における要素の組合せや順序の変化等は請求された本考案の範囲および思想を逸脱することなく実現し得るものである。
【符号の説明】
【００４４】
２        面部
４、４’  第１の線部
４ａ、４ａ’、４ｂ、４ｂ’  端部
６、６’  第２の曲線部
８        縫糸
１０      かつらベース
１２      ネット状の基布
１４      外縁部
【図１】
0003206599.tif 000003
【図２】
0003206599.tif 000004
【図３】
0003206599.tif 000005
【図４】
0003206599.tif 000006
【図５】
0003206599.tif 000007